(57)【要約】【課題】掲示物の設定情報を把握せずに掲示物の掲示を管理する場合と比較して、誤った掲示物が、掲示されていることを把握することを目的とする。【解決手段】ＰＯＰ広告を管理するＰＯＰ広告管理システムに設けられる情報処理装置１０は、店内に掲示するＰＯＰ広告を管理するために用いられる各種データを関連付け、データベースとして記憶する広告管理ＤＢ１１と、広告管理ＤＢ１１における各種広告情報を設定する広告情報設定部１２と、広告管理ＤＢ１１を参照しつつ実際に掲示されるＰＯＰ広告の掲示期限を監視する掲示期限監視部１３と、掲示期限が経過したＰＯＰ広告を差し替える場合に差し替え用のＰＯＰ広告を生成する差替広告生成部１４と、差し替え用のＰＯＰ広告で用いられる各種デザインを記憶する広告デザインＤＢ１５とを備えている。【選択図】図３
2019215642.tif 000002
【特許請求の範囲】
【請求項１】
掲示物の掲示に対して設定される設定情報を記憶する記憶手段と、
前記設定情報に基づき、掲示されている掲示物の取り扱いを提案する提案手段と
を含む掲示物管理システム。
【請求項２】
前記記憶手段は、前記設定情報として掲示物の掲示期限を記憶しており、
前記提案手段は、前記掲示されている掲示物が掲示期限を超過している場合に、当該掲示されている掲示物の撤去を提案することを特徴とする請求項１記載の掲示物管理システム。
【請求項３】
前記提案手段は、前記掲示されている掲示物に代わる、新たな掲示物の掲示を提案することを特徴とする請求項２記載の掲示物管理システム。
【請求項４】
前記記憶手段は、前記設定情報として掲示物に記載すべき事項を記憶しており、
前記提案手段は、前記掲示されている掲示物に記載すべき事項に変更があった場合に、当該掲示されている掲示物の撤去を提案することを特徴とする請求項１記載の掲示物管理システム。
【請求項５】
前記提案手段は、前記掲示されている掲示物に代わる、記載すべき事項が変更された新たな掲示物の掲示を提案することを特徴とする請求項４記載の掲示物管理システム。
【請求項６】
前記提案手段は、前記掲示されている掲示物と当該掲示されている掲示物の位置とを対応付けることを特徴とする請求項２乃至５のいずれか１項記載の掲示物管理システム。
【請求項７】
前記提案手段は、前記掲示されている掲示物に代わる、前記新たな掲示物の掲示を提案するに際して、当該新たな掲示物のデザインを提案することを特徴とする請求項３または５記載の掲示物管理システム。
【請求項８】
前記提案手段は、前記掲示されている掲示物に代わる、前記新たな掲示物の掲示を提案するに際して、当該新たな掲示物の出力枚数を提案することを特徴とする請求項３、５または７記載の掲示物管理システム。
【請求項９】
コンピュータに、
掲示物の掲示に対して設定される設定情報を記憶する記憶手段から、当該設定情報を取得する機能と、
前記設定情報に基づき、掲示されている掲示物の取り扱いを提案する機能と
を実現させるプログラム。
【発明の詳細な説明】
【技術分野】
【０００１】
本発明は、掲示物管理システム、プログラムに関する。
【背景技術】
【０００２】
特許文献１には、表示札それぞれに割り当てられた札識別情報と、表示札に表示される情報とを関連付けて記憶する記憶部と、札識別情報と表示札に表示される情報とを表示した表示札を生成する生成部と、掲示された表示札を撮像する撮像部と、撮像部により表示札を撮像した場合、撮像された表示札の札識別情報に基づいて、表示札を管理する処理を行う制御部と、を有する表示札処理システムが記載されている。
【０００３】
特許文献２には、情報処理装置と撮像手段を備えた携帯端末とを備え、情報処理装置は、商品の商品情報と商品に対応する広告の掲載終了日とを少なくとも記憶する記憶手段と、記憶手段に記憶された掲載終了日に対応するカラーコードを特定する特定手段と、特定手段で特定されたカラーコードと、カラーコードに対応する記憶手段に記憶された商品情報とを用いて広告を作成する作成手段と、を有することを特徴とする情報処理システムが記載されている。
【先行技術文献】
【特許文献】
【０００４】
【特許文献１】特開２０１４−４８７５２号公報
【特許文献２】特開２０１６−２２４５２８号公報
【発明の概要】
【発明が解決しようとする課題】
【０００５】
例えば、掲示期限を超過した掲示物が掲示されていたり、記載すべき事項が変更された掲示物が変更される前の状態のままで掲示されていたりした場合に、このような掲示物を見つけ出すことが困難である。
本発明は、掲示物の設定情報を把握せずに掲示物の掲示を管理する場合と比較して、誤った掲示物が、掲示されていることを把握することを目的とする。
【課題を解決するための手段】
【０００６】
請求項１記載の発明は、掲示物の掲示に対して設定される設定情報を記憶する記憶手段と、前記設定情報に基づき、掲示されている掲示物の取り扱いを提案する提案手段と
を含む掲示物管理システムである。
請求項２記載の発明は、前記記憶手段は、前記設定情報として掲示物の掲示期限を記憶しており、前記提案手段は、前記掲示されている掲示物が掲示期限を超過している場合に、当該掲示されている掲示物の撤去を提案することを特徴とする請求項１記載の掲示物管理システムである。
請求項３記載の発明は、前記提案手段は、前記掲示されている掲示物に代わる、新たな掲示物の掲示を提案することを特徴とする請求項２記載の掲示物管理システムである。
請求項４記載の発明は、前記記憶手段は、前記設定情報として掲示物に記載すべき事項を記憶しており、前記提案手段は、前記掲示されている掲示物に記載すべき事項に変更があった場合に、当該掲示されている掲示物の撤去を提案することを特徴とする請求項１記載の掲示物管理システムである。
請求項５記載の発明は、前記提案手段は、前記掲示されている掲示物に代わる、記載すべき事項が変更された新たな掲示物の掲示を提案することを特徴とする請求項４記載の掲示物管理システムである。
請求項６記載の発明は、前記提案手段は、前記掲示されている掲示物と当該掲示されている掲示物の位置とを対応付けることを特徴とする請求項２乃至５のいずれか１項記載の掲示物管理システムである。
請求項７記載の発明は、前記提案手段は、前記掲示されている掲示物に代わる、前記新たな掲示物の掲示を提案するに際して、当該新たな掲示物のデザインを提案することを特徴とする請求項３または５記載の掲示物管理システムである。
請求項８記載の発明は、前記提案手段は、前記掲示されている掲示物に代わる、前記新たな掲示物の掲示を提案するに際して、当該新たな掲示物の出力枚数を提案することを特徴とする請求項３、５または７記載の掲示物管理システムである。
請求項９記載の発明は、コンピュータに、掲示物の掲示に対して設定される設定情報を記憶する記憶手段から、当該設定情報を取得する機能と、前記設定情報に基づき、掲示されている掲示物の取り扱いを提案する機能とを実現させるプログラムである。
【発明の効果】
【０００７】
請求項１記載の発明によれば、掲示物の設定情報を把握せずに掲示物の掲示を管理する場合と比較して、誤った掲示物が、掲示されていることを把握することができる。
請求項２記載の発明によれば、掲示期限を監視しない場合と比較して、掲示期限を経過した掲示物の撤去を促すことができる。
請求項３記載の発明によれば、掲示期限を監視しない場合と比較して、掲示期限を経過した掲示物に代わる新たな掲示物の掲示を促すことができる。
請求項４記載の発明によれば、掲示すべき事項が変更されたか否かを監視しない場合と比較して、掲示すべき事項が変更された掲示物の撤去を促すことができる。
請求項５記載の発明によれば、掲示すべき事項が変更されたか否かを監視しない場合と比較して、掲示すべき事項が変更された掲示物に代わる新たな掲示物の掲示を促すことができる。
請求項６記載の発明によれば、掲示物が掲示される場合を把握せずに掲示物の掲示を管理する場合と比較して、撤去すべき掲示物が掲示されている位置を教示することができる。
請求項７記載の発明によれば、掲示物のデザインを把握せずに掲示物の掲示を管理する場合と比較して新たな掲示物の設計を容易なものとすることができる。
請求項８記載の発明によれば、掲示物の枚数を把握せずに掲示物の掲示を管理する場合と比較して、新たな掲示物の印刷枚数の誤りを抑制することができる。
請求項９記載の発明によれば、掲示物の設定情報を把握せずに掲示物の掲示を管理する場合と比較して、誤った掲示物が、掲示されていることを把握することができる。
【図面の簡単な説明】
【０００８】
【図１】本発明の実施の形態におけるＰＯＰ広告管理システムの全体構成例を示した図である。
【図２】情報処理装置のハードウェア構成を示す図である。
【図３】情報処理装置の機能構成を示す図である。
【図４】広告管理ＤＢの内容を説明するための図である。
【図５】広告デザインＤＢの内容を説明するための図であり、（ａ）は通常セール用デザインセットの一例を、（ｂ）はスペシャルセール用デザインセットの一例を、それぞれ示している。
【図６】実施の形態１における掲示期限監視処理の手順を示すフローチャートである。
【図７】実施の形態１における期限切れ広告の第１の画面例を示す図である。
【図８】実施の形態１における期限切れ広告の第２の画面例を示す図である。
【図９】実施の形態２における掲示期限監視処理の手順を示すフローチャートである。
【図１０】実施の形態２における期限切れ広告の画面例を示す図である。
【図１１】掲示期限が更新された広告管理ＤＢの内容を説明するための図である。
【図１２】実施の形態３における価格変更処理および広告印刷処理の手順を示すフローチャートである。
【図１３】実施の形態３における商品名及び価格の一覧の画面例を示す図である。
【図１４】実施の形態３における価格変更設定の画面例を示す図である。
【図１５】価格が更新された広告管理ＤＢの内容を説明するための図である。
【発明を実施するための形態】
【０００９】
以下、添付図面を参照して、本発明の実施の形態について詳細に説明する。
［ＰＯＰ広告管理システム］
図１は、本発明の実施の形態におけるＰＯＰ（Point of purchase advertising）広告管理システム１の全体構成例を示した図である。
本実施の形態のＰＯＰ広告管理システム１は、主にスーパーマーケット等の商店で用いられる、販売促進のための広告媒体であるＰＯＰ広告を管理するためのものである。ここで、掲示物の一例としてのＰＯＰ広告は、通常、商店の店内あるいは店先等に、販売促進の対象となる商品とともに掲示される。
そして、このＰＯＰ広告管理システム１は、ＰＯＰ広告の管理に関する各種処理を実行する情報処理装置１０と、情報処理装置１０による制御のもと、ＰＯＰ広告を含む各種印刷物の出力を行う印刷装置２０とを備えている。
【００１０】
［情報処理装置のハードウェア構成］
図２は、情報処理装置１０のハードウェア構成を示す図である。
この情報処理装置１０は、ＯＳや各種アプリケーション等のプログラムを読み出して実行するＣＰＵ（Central Processing Unit）１０１と、ＣＰＵ１０１が実行するプログラムやプログラムを実行する際に使用するデータ等を記憶するＲＯＭ（Read Only Memory）１０２と、プログラムを実行する際に一時的に生成されるデータ等を記憶するＲＡＭ（Random Access Memory）１０３とを備えている。また、情報処理装置１０は、各種プログラムや各種データ等を記憶する記憶手段の一例としてのＨＤＤ（Hard Disk Drive）１０４と、情報処理装置１０の外部に設けられた機器（例えば印刷装置２０）との間でデータの送受信を行うＮＩＣ（Network Interface Card）１０５と、操作者からの入力を受け付ける入力装置１０６と、表示画面に画像を表示する表示装置１０７と、これらを接続するバス１０８とをさらに備えている。そして、情報処理装置１０に設けられたＣＰＵ１０１が実行するプログラムは、予めＲＯＭ１０２やＨＤＤ１０４に記憶させておく形態の他、例えばＣＤ−ＲＯＭ等の記憶媒体に格納してＣＰＵ１０１に提供したり、あるいは、ネットワーク（図示せず）を介してＣＰＵ１０１に提供したりすることも可能である。
【００１１】
［情報処理装置の機能構成］
図３は、情報処理装置１０の機能構成を示す図である。ただし、図３には、印刷装置２０も併せて示している。
この情報処理装置１０は、広告管理データベース（以下、広告管理ＤＢ）１１と、広告情報設定部１２と、掲示期限監視部１３と、差替広告生成部１４と、広告デザインデータベース（以下、広告デザインＤＢ）１５とを備えている。
【００１２】
（広告管理ＤＢ）
広告管理ＤＢ１１は、商店に掲示するＰＯＰ広告を管理するために用いられる各種データを関連付け、データベースとして記憶している。この広告管理ＤＢ１１は、ＨＤＤ１０４に記憶されている。
【００１３】
図４は、広告管理ＤＢ１１の内容を説明するための図である。
設定情報の一例としての広告管理ＤＢ１１は、商品コードと、商品名と、キャッチコピーと、価格と、ＰＯＰ仕様と、デザインセットと、掲示期限と、（掲示）期限切れ後の対応とを、商品コード毎（商品毎）に対応付けたもので構成される。例えば『商品コード』：「００００」には、『商品名』：「チョコパイ」、『キャッチコピー』：「ハロウィンの・・・」、『価格』：「２７８」（円）、『ＰＯＰ仕様』：「Ａ４×１、Ａ５×３」、『デザインセット』：「期末セール」、『掲示期限』：「２０１８／３／３１」、『期限切れ後の対応』：「破棄」が、それぞれ対応付けられている。また、例えば『商品コード』：「０００１」には、『商品名』：「クッキー」、『キャッチコピー』：「大人気！！」、『価格』：「３１２」（円）、『ＰＯＰ仕様』：「Ａ５Ｈ×４」、『デザインセット』：「スペシャルセール」、『掲示期限』：「２０１８／３／３１」、『期限切れ後の対応』：「通常セール用デザインセットを印刷して貼り替え」が、それぞれ対応付けられている。さらに、『商品コード』：「０００２」には、『商品名』：「あられ」、『キャッチコピー』：「お手軽な・・・」、『価格』：「１５０」（円）、『ＰＯＰ仕様』：「Ａ５Ｈ×２」、『デザインセット』：「スペシャルセール」、『掲示期限』：「２０１８／３／３１」、『期限切れ後の対応』：「通常セール用デザインセットを印刷して貼り替え」が、それぞれ対応付けられている。さらにまた、『商品コード』：「０００３」には、『商品名』：「カップラーメン」、『キャッチコピー』：「さわやかな・・・」、『価格』：「２００」（円）、『ＰＯＰ仕様』：「Ａ５×１、Ａ６×１」、『デザインセット』：「通常セール」、『掲示期限』：「なし」、『期限切れ後の対応』：「なし」が、それぞれ対応付けられている。
【００１４】
これらのうち、『商品コード』および『商品名』は、商品毎に一義に定められる。また、『キャッチコピー』は、その商品の販売を促進するために商品に付与される宣伝文句であり、季節等によって変更される場合があり得る。また、『価格』は、その商品を見合った価値にて販売するために設定されるものであり、各種理由により変更（値上げあるいは値下げ）される場合があり得る。また、『ＰＯＰ仕様』は、その商品の販売を促進するために印刷されるＰＯＰ広告の用紙サイズおよび枚数を示すものであり、各種理由により変更（大サイズ化、小サイズ化、枚数変更）される場合があり得る。また、『デザインセット』は、その商品の販売を促進するために印刷されるＰＯＰ広告のデザインを示すものであり、各種理由により変更される場合があり得る。なお、この例では、『デザインセット』として、「期末セール」、「スペシャルセール」および「通常セール」の３種類が存在している。これらデザインセットの詳細については後述する。また、『掲示期限』は、その商品の販売を促進するために印刷されるＰＯＰ広告をいつまで掲示するかを、日付（年月日）で示すものである。また、『期限切れ後の対応』は、その商品の販売を促進するために印刷されるＰＯＰ広告が掲示期限を超過した後に取るべき対応を示すものである。なお、この例では、『期限切れ後の対応』として、「破棄」、「通常セール用デザインセットを印刷して貼り替え」および「なし」の３種類が存在している。
【００１５】
本実施の形態の場合、実際に掲示されるＰＯＰ広告には、上記各事項のうち、少なくとも『商品名』、『キャッチコピー』、『価格』および『掲示期限』が印刷（表示）される。すなわち、これら『商品名』、『キャッチコピー』、『価格』および『掲示期限』は、掲示物の記載すべき事項の一例である。また、印刷されるＰＯＰ広告の用紙サイズは、『ＰＯＰ仕様』に基づいて決定される。なお、図４に示す『ＰＯＰ仕様』において、「Ａ４」、「Ａ５」、「Ａ６」は、それぞれＪＩＳに定められたＡ４サイズ、Ａ５サイズ、Ａ６サイズを意味し、また、「Ａ５Ｈ」は、Ａ５サイズのハーフサイズ（Ａ６ではなく、横長にカットしたもの）を意味する。
【００１６】
（広告情報設定部）
図３に戻って説明を続ける。
広告情報設定部１２は、情報処理装置１０に設けられた入力装置１０６（図２参照）を操作する作業者による入力に基づき、広告管理ＤＢ１１に記憶される、各種ＰＯＰ広告に関する情報を設定する。より具体的に説明すると、広告情報設定部１２は、広告管理ＤＢ１１にアクセスして、商品コード、商品名、キャッチコピー、価格、ＰＯＰ仕様、デザインセット、掲示期限、期限切れ後の対応を設定する。
【００１７】
（掲示期限監視部）
提案手段の一例としての掲示期限監視部１３は、広告管理ＤＢ１１に記憶される各種ＰＯＰ広告の掲示期限を監視する。また、掲示期限監視部１３は、掲示期限を超過したＰＯＰ広告の取り扱いに関し、ＰＯＰ広告の撤去、ＰＯＰ広告の差し替え（ＰＯＰ広告の撤去および新たなＰＯＰ広告の掲示）、あるいは、ＰＯＰ広告の貼り直し等を含む各種提案を行う。
【００１８】
（差替広告生成部）
差替広告生成部１４は、広告管理ＤＢ１１に記憶される各種ＰＯＰ広告のうち、ＰＯＰ広告の差し替えが指示されたものついて、差し替える新たなＰＯＰ広告（新たな掲示物の一例）を生成する。
【００１９】
（広告デザインＤＢ）
広告デザインＤＢ１５は、差替広告生成部１４が新たなＰＯＰ広告の生成を行う場合に用いられる各種デザインセットを、データベースとして記憶している。この広告デザインＤＢ１５も、ＨＤＤ１０４に記憶されている。
【００２０】
図５は、広告デザインＤＢ１５の内容を説明するための図である。ここで、図５（ａ）は通常セール用デザインセットの一例を、図５（ｂ）はスペシャルセール用デザインセットの一例を、それぞれ示している。これらから明らかなように、通常セール用デザインセットと、スペシャルセール用デザインセットとでは、ＰＯＰ広告のデザイン（フォーマット）が異なる。また、通常セール用デザインセットおよびスペシャルセール用デザインセットには、それぞれ、複数の異なる用紙サイズに対応するデザインが用意されている。
【００２１】
なお、広告デザインＤＢ１５には、これら通常セール用デザインセットおよびスペシャルセール用デザインセットの他に、期末セール用デザインセットも記憶されているが、ここではその詳細な説明を省略する。そして、期末セール用デザインセットは、これら通常セール用デザインセットおよびスペシャルセール用デザインセットとは、ＰＯＰ広告のデザイン（フォーマット）が異なる。
【００２２】
［印刷装置］
印刷装置２０は、用紙等の記録材上に、例えば画像（モノクロ画像やフルカラー画像）を印刷することによって、ＰＯＰ広告を含む各種印刷物を出力する。この印刷装置２０は、例えばゼログラフィー方式を採用したものや、インクジェット方式を採用したもの等を用いることができる。
【００２３】
＜実施の形態１＞
［掲示期限監視処理］
図６は、実施の形態１における掲示期限監視処理の手順を示すフローチャートである。図６に示す処理は、情報処理装置１０が実行する。
この処理では、最初に、掲示期限監視部１３が、広告管理ＤＢ１１を開く（ステップ１０）。そして、掲示期限監視部１３は、広告管理ＤＢ１１の１レコードを読み込む（ステップ２０）。ここで、１レコードとは、特定の１商品（以下では対象商品と称する）に対応付けられた各種設定を意味する。そして、掲示期限監視部１３は、この対象商品のレコードにおける『掲示期限』を参照し、期限切れになっているか否かを判断する（ステップ３０）。ステップ３０で否定の判断（ＮＯ）を行った場合は、後述するステップ７０へと進む。
【００２４】
一方、ステップ３０で肯定の判断（ＹＥＳ）を行った場合、掲示期限監視部１３は、次に、この対象商品のレコードにおける『期限切れ後の対応』を参照し、貼り替える必要があるか否かを判断する（ステップ４０）。ステップ４０で否定の判断（ＮＯ）を行った場合、掲示期限監視部１３は、この対象商品のＰＯＰ広告を撤去する提案を行い（ステップ５０）、ステップ７０へと進む。これに対し、ステップ４０で肯定の判断（ＹＥＳ）を行った場合、掲示期限監視部１３は、この対象商品のＰＯＰ広告を再印刷して貼り替える提案を行い（ステップ６０）、ステップ７０へと進む。ここで、ステップ５０およびステップ６０において、掲示期限監視部１３は、表示装置１０７に、これらの提案内容を表示するのであるが、その具体的な手法については後述する。
【００２５】
そして、掲示期限監視部１３は、広告管理ＤＢ１１のすべてのレコードを確認したか否かを判断する（ステップ７０）。ステップ７０で否定の判断（ＮＯ）を行った場合は、ステップ２０に戻って次のレコードに対する処理を続行する。一方、ステップ７０で肯定の判断（ＹＥＳ）を行った場合は、この一連の処理を完了する。
【００２６】
［期限切れ広告の表示画面］
では、本実施の形態において、期限切れが生じたＰＯＰ広告（以下では、期限切れ広告と称する）を操作者等に提案するために、表示装置１０７に表示する手法（ここでは２つ）について説明を行う。なお、この説明は、図４に示す広告管理ＤＢ１１を用い、２０１８／４／１に、図６に示す処理を実行した場合を例とする。
【００２７】
（第１の画面例）
図７は、実施の形態１における期限切れ広告の第１の画面例を示す図である。
図７に示す例では、期限切れ広告を、リストとして提示している。
より具体的に説明すると、図７に示す例では、期限切れ広告の商品の商品名と、ＰＯＰ仕様と、実施すべき作業（実施作業）とを、列挙して表示している。例えば『商品名』：「チョコパイ」には、『ＰＯＰ仕様』：「Ａ４×１、Ａ５×３」と『実施作業』：「撤去」とが対応付けて表示される。また、例えば『商品名』：「クッキー」には、『ＰＯＰ仕様』：「Ａ５Ｈ×４」と『実施作業』：「貼り替え」とが対応付けて表示される。さらに、『商品名』：「あられ」には、『ＰＯＰ仕様』：「Ａ５Ｈ×２」と『実施作業』：「貼り替え」とが対応付けて表示される。そして、図７に示す画面において、表示される「リストの印刷」キーをクリックすることで、このリストを印刷装置２０で印刷することができる。
【００２８】
（第２の画面例）
図８は、実施の形態１における期限切れ広告の第２の画面例を示す図である。
図８に示す例では、期限切れ広告を、その掲示位置とともに店内の地図と重ねて提示している。
より具体的に説明すると、図８に示す例では、上段側に貼り替え対象となる期限切れ広告を表示するとともに、下段側に撤去対象となる期限切れ広告を表示している。例えば上段には、タイトルとして「１．期限切れのＰＯＰを貼り替えてください。」が表示され、その下方に、店内の地図とともに、貼り替え対象となる「Ａ．クッキー」および「Ｂ．あられ」が、そのＰＯＰ広告の掲示位置とともに表示される。また、例えば下段には、タイトルとして「２．期限切れのＰＯＰを撤去してください。」が表示され、その下方に、店内の地図とともに、撤去対象となる「Ｃ．チョコパイ」が、そのＰＯＰ広告の掲示位置とともに表示される。
【００２９】
＜実施の形態２＞
［掲示期限監視処理］
図９は、実施の形態２における掲示期限監視処理の手順を示すフローチャートである。図９に示す処理は、情報処理装置１０が実行する。
この処理では、最初に、掲示期限監視部１３が、広告管理ＤＢ１１から期限切れ広告の一覧を取得する（ステップ１１０）。そして、掲示期限監視部１３は、広告管理ＤＢ１１に期限切れ広告が存在するか否かを判断する（ステップ１２０）。ステップ１２０で否定の判断（ＮＯ）を行った場合は、この一連の処理を完了する。
【００３０】
一方、ステップ１２０で肯定の判断（ＹＥＳ）を行った場合、掲示期限監視部１３は、ステップ１１０で取得した期限切れ広告の一覧を、表示装置１０７に表示させる（ステップ１３０）。次に、掲示期限監視部１３は、ステップ１３０で表示させた期限切れ広告の一覧における「期限切れ後の対応」を参照し、貼り替え指示があるか否かを判断する（ステップ１４０）。そして、ステップ１４０で肯定の判断（ＹＥＳ）を行った場合、掲示期限監視部１３は、上記貼り替え指示に対応する新たなＰＯＰ広告の印刷指示があったか否かを判断する（ステップ１５０）。ここで、ステップ１４０で否定の判断（ＮＯ）を行った場合（貼り替え指示がなかった場合）およびステップ１５０で否定の判断（ＮＯ）を行った場合（印刷指示がなかった場合）は、後述するステップ１９０へと進む。
【００３１】
これに対し、ステップ１５０で肯定の判断（ＹＥＳ）を行った場合、掲示期限監視部１３は、ステップ１１０で取得した期限切れ広告の一覧における『期限切れ後の対応』情報から、デザインセット情報を取り出す（ステップ１６０）。続いて、差替広告生成部１４は、広告デザインＤＢ１５から、ステップ１６０で取り出したデザインセット情報に対応するデザインセットを読み出すとともに、広告管理ＤＢ１１に記憶される各種設定情報を、読み出したデザインセットのフォーマットに流し込むことにより、貼り替え用のＰＯＰ広告を生成し、印刷装置２０による印刷を実行させる（ステップ１７０）。そして、広告情報設定部１２は、ステップ１７０で印刷した貼り替え用のＰＯＰ広告の広告情報を、広告管理ＤＢ１１の該当領域（貼り替え用ＰＯＰ広告の商品のレコード）へ登録（上書き）する（ステップ１８０）。その後、広告情報設定部１２は、広告管理ＤＢ１１から期限切れ広告のレコードを削除し（ステップ１９０）、一連の処理を完了する。
【００３２】
［期限切れ広告の表示画面］
では、本実施の形態において、期限切れ広告を操作者等に提案するために、表示装置１０７に表示する手法（ここでは１つ）について説明を行う。なお、この説明は、図４に示す広告管理ＤＢ１１を用い、２０１８／４／１に、図９に示す処理を実行した場合を例とする。
【００３３】
（画面例）
図１０は、実施の形態２における期限切れ広告の画面例を示す図である。
図１０に示す画面は、上記ステップ１３０において表示装置１０７に表示される。そして、図１０に示す例では、期限切れ広告を、印刷指示用のチェックボックスとともに、リストとして提示している。
より具体的に説明すると、図１０に示す例では、期限切れ広告の商品の商品名と、ＰＯＰ仕様とを、列挙して表示し、さらにこれらの左側端部に、印刷の実行指示（印刷指示）を受け付けるためのチェックボックスを表示している。この例では、期限切れが生じたＰＯＰ広告のうち、期限切れ後の対応に貼り替えが指定されている「クッキー」および「あられ」に対応付けてチェックボックスが表示される一方、期限切れが生じていない「カップラーメン等には、チェックボックスが対応付けて表示されない（印刷が実行され得ない）ようになっている。そして、図１０に示す画面において、対応するチェックボックスをクリックしてチェックマークを付与するとともに、表示される「ＯＫ」キーをクリックすることで、これら「クッキー」および「あられ」の貼り替え用のＰＯＰ広告を印刷装置２０で印刷することができる。なお、図１０に示す画面において、「クッキー」にはチェックマークを付与する一方、「あられ」にはチェックマークを付与しない状態で、表示される「ＯＫ」キーをクリックした場合には、「クッキー」の貼り替え用のＰＯＰ広告は印刷されるものの、「あられ」の貼り替え用のＰＯＰ広告は印刷されないことになる。
【００３４】
［掲示期限更新後の広告管理ＤＢ］
図１１は、掲示期限が更新された広告管理ＤＢ１１の内容を説明するための図である。
図１１に示す広告管理ＤＢ１１は、図４に示す広告管理ＤＢ１１に基づき、図１０に示す処理を実行した結果として得られたものを例示している。
【００３５】
では、図４と図１１とを対比しながら説明を行う。
まず、例えば『商品コード』：「００００」の『商品名』：「チョコパイ」のＰＯＰ広告は、掲示期限切れとなっており、しかも、期限切れ後の対応が破棄（撤去）となっていることから、広告管理ＤＢ１１から削除されている。また、『商品コード』：「０００１」の『商品名』：「クッキー」および『商品コード』：「０００２」の『商品名』：「あられ」の各ＰＯＰ広告は、デザインセットが通常セール用に変更され、しかも、掲示期限および掲示期限がなしに変更されている。なお、『商品コード』：「０００３」の『商品名』：「カップラーメン」のＰＯＰ広告は、もともと掲示期限がないために変更はない。
【００３６】
＜実施の形態３＞
［価格変更処理および広告印刷処理］
図１２は、実施の形態３における価格変更処理および広告印刷処理の手順を示すフローチャートである。図１２に示す処理は、情報処理装置１０が実行する。
この処理では、最初に、掲示期限監視部１３が、広告管理ＤＢ１１のすべてのレコードを取得し、得られた各レコードの商品名および価格の一覧を、表示装置１０７に表示させる（ステップ２１０）。次に、広告情報設定部１２は、入力装置１０６等を介して価格変更が指定されたか否かを判断する（ステップ２２０）。ステップ２２０で否定の判断（ＮＯ）を行った場合（価格変更が指定されなかった場合）は、この一連の処理を完了する。
【００３７】
一方、ステップ２２０で肯定の判断（ＹＥＳ）を行った場合、広告情報設定部１２は、ステップ２１０で取得したすべてのレコードから、ステップ２２０で指定された商品の広告情報を抽出し、表示装置１０７に表示させる（ステップ２３０）。次に、掲示期限監視部１３は、上記商品に対応する新たなＰＯＰ広告の印刷指示があったか否かを判断する（ステップ２４０）。ステップ２４０で否定の判断（ＮＯ）を行った場合（印刷指示がなかった場合）は、この一連の処理を完了する。
【００３８】
これに対し、ステップ２４０で肯定の判断（ＹＥＳ）を行った場合、差替広告生成部１４は、広告デザインＤＢ１５から、該当するレコードのデザインセットを読み出すとともに、広告管理ＤＢ１１に記憶される各種設定情報を、読み出したデザインセットのフォーマットに流し込むことにより、貼り替え用のＰＯＰ広告を生成し、印刷装置２０による印刷を実行させる（ステップ２５０）。そして、広告情報設定部１２は、ステップ２５０で印刷した広告の広告情報を、広告管理ＤＢ１１の該当領域（貼り替え用ＰＯＰ広告の商品のレコード）の修正（上書き）を行い（ステップ２６０）、一連の処理を完了する。
【００３９】
［価格変更商品の表示画面］
では、本実施の形態において、価格変更の対象となる商品を操作者等に提案するために、表示装置１０７に表示する手法（ここでは１つ）について説明を行う。なお、この説明は、図４に示す広告管理ＤＢ１１を用い、図１２に示す処理を実行した場合を例とする。
【００４０】
（画面例）
図１３は、実施の形態３における商品名及び価格の一覧の画面例を示す図である。
図１３に示す画面は、上記ステップ２１０において表示装置１０７に表示される。そして、図１３に示す例では、価格変更の対象となる商品を、価格変更用のチェックボックスとともに、リストとして表示している。
より具体的に説明すると、図１３に示す例では、価格変更の対象と成り得る商品の商品名と、価格とを、列挙して表示し、さらにこれらの左側端部に、価格変更の指定を受け付けるためのチェックボックスを表示している。そして、図１３に示す画面において、表示される「ＯＫ」キーをクリックすることで、次の価格変更用の画面（後述する図１４参照）を表示することができる。なお、ここでは、『商品名』：「カップラーメン」の価格を変更する場合を例とする。
【００４１】
［価格変更の設定画面］
次に、本実施の形態において、目的とする商品の価格の変更を受け付けるために、表示装置１０７に広告情報を表示する手法（ここでは１つ）について説明を行う。なお、この説明は、図１３に示す画面で、『商品名』：「カップラーメン」が選択された状態で、「ＯＫ」キーがクリックされた場合を例とする。
【００４２】
（画面例）
図１４は、実施の形態３における価格変更設定の画面例を示す図である。
図１４に示す画面は、上記ステップ２３０において表示装置１０７に表示される。
より具体的に説明すると、図１４に示す例では、上段に、「指定した商品は複数のＰＯＰがあります。新価格を入力してください。一括して印刷します。」というメッセージが表示される。そして、その下方には、価格変更の対象となる商品（図１３に示す画面で選択された商品）に関する現状の広告情報である、『商品名』：「カップラーメン」、『ＰＯＰ仕様』：「Ａ５、Ａ６」、『デザインセット』：「通常セール用」および『現在の価格』：「２００円」が、並べて表示される。そして、さらにその下方には、新たな価格である『新価格』が、空欄とともに表示され、操作者から、入力装置１０６を介して、この空欄に、「２００円」に代わる新たな価格の入力を受け付ける。そして、図１４に示す画面において、表示される「ＯＫ」キーをクリックすることで、指定した商品に対する新価格が決定され、広告管理ＤＢ１１の該当領域（カップラーメンのレコードにおける価格の欄）が、新価格が上書きされることにより更新される。
【００４３】
［価格更新後の広告管理ＤＢ］
図１５は、価格が更新された広告管理ＤＢ１１の内容を説明するための図である。
図１５に示す広告管理ＤＢ１１は、図１１に示す広告管理ＤＢ１１に基づき、図１２に示す処理を実行した結果として得られたものを例示している。
【００４４】
では、図１１と図１５とを対比しながら説明を行う。
まず、例えば『商品コード』：「０００１」の『商品名』：「クッキー」および『商品コード』：「０００２」の『商品名』：「あられ」の両者は、価格変更が行われていないため、従前のままである。これに対し、例えば『商品コード』：「０００３」の『商品名』：「カップラーメン」は、その価格が、「２００円」から「２１０円」に更新（ここでは値上げ）されている。
【００４５】
＜その他＞
なお、上述した各実施の形態では、１台の情報処理装置１０に、掲示期限管理処理（実施の形態１、２）や価格変更処理および広告印刷処理（実施の形態３）を実行させていたが、これに限られるものではない。例えば、２台以上の情報処理装置１０を準備しておき、これら複数の情報処理装置に、各種処理を分担して実行させるようにしてもかまわない。
【００４６】
また、実施の形態３では、商品の価格を変更する場合を例として説明を行ったが、これに限られるものではなく、例えば、ＰＯＰ広告に印刷されるキャッチコピー等を変更する場合にも、同様の手法を適用してかまわない。
【００４７】
さらに、上述した各実施の形態では、情報処理装置１０を用い、掲示物の一例としてのＰＯＰ広告を管理する場合を例として説明を行ったが、これに限られるものではなく、キャッチコピーや価格等が記載されていない、一般的な掲示物の管理にも適用して差し支えない。
【符号の説明】
【００４８】
１…ＰＯＰ広告管理システム、１０…情報処理装置、１１…広告管理ＤＢ、１２…広告情報設定部、１３…掲示期限監視部、１４…差替広告生成部、１５…広告デザインＤＢ、２０…印刷装置、１０１…ＣＰＵ、１０２…ＲＯＭ、１０３…ＲＡＭ、１０４…ＨＤＤ、１０５…ＮＩＣ、１０６…入力装置、１０７…表示装置
【図１】
2019215642.tif 000003
【図２】
2019215642.tif 000004
【図３】
2019215642.tif 000005
【図４】
2019215642.tif 000006
【図５】
2019215642.tif 000007
【図６】
2019215642.tif 000008
【図７】
2019215642.tif 000009
【図８】
2019215642.tif 000010
【図９】
2019215642.tif 000011
【図１０】
2019215642.tif 000012
【図１１】
2019215642.tif 000013
【図１２】
2019215642.tif 000014
【図１３】
2019215642.tif 000015
【図１４】
2019215642.tif 000016
【図１５】
2019215642.tif 000017